(57)【要約】【課題】現在波エネルギーを圧縮空気として取り出す方法で底面開放容器による方法では同一時点で前段の容器に受ける波による水中圧力と後段の容器に受ける波による水中圧力との差をなるべく大きくとれる様に波の波長と方向を想定しそれぞれの容器の場所を決める必要がある、大変であると同時に、波の方向や、波長は、時間により変化し効率も悪くなる。【解決手段】    本考案では、前段と後段の容器に受ける波による圧力の最大点と最小点を時間の経過でとらえ、前段底面開放容器の最大圧力を一旦他の密閉容器に蓄えておき、時間の経過後、後段の底面開放容器内の圧力が下がった時にその圧力差を比較し空気を送り込むようにした、このため、波の方向や、波長には全く関係なく、両容器の水深静止圧力差と波による水中圧力差のみ考慮し容器の設置できるようにした。【選択図】    図1
2017125437.tif 000002
【特許請求の範囲】
【請求項１】
底面開放容器と、密閉容器とが、開放容器から密閉容器にむけて空気がながれる一方向弁を介して配置されており、密閉容器から次の段の開放容器に空気がながれるように一方向弁を介して連結されている容積ユニットを複数個有し、それら各容積ユニットを水深差をもって順次配置し一番浅いところに配置する容積ユニットを空気取り入れ孔に通じ、かつ、一番深いところに配置する容積ユニットを圧力タンクに通じるように構成した波のエネルギーを圧縮空気に変換する装置
【請求項２】
前後に配置された容器の水深差、すなわち静止圧差より、波によって発生する水中圧力差が大きいとき空気は水深の深い位置にある容器に空気を送ることが出来る、波高値によって発生する水中圧力は変化するため水深調整を簡単にするため各容器を装置設置調整棒（１６）につなぎ、その両端に取り付けたロープ巻き出し機で設置調整棒を斜めに配置し各容器間の水深差を調整できるようにした請求項１の波のエネルギーを圧縮空気に変換する装置。
【請求項３】
前記底面開放容器と前記密閉容器とは一体構成であり、装置全体を水中に沈めることで、異常波力による装置破壊から守ることが出来る請求項1あるいは２の波のエネルギーを圧縮空気に変換する装置。
【発明の詳細な説明】
【技術分野】
【０００１】
この発明は、水面の波や、水の移動が水中の圧力を変化させることを利用し空気を段々に水深深く送り込みその深さの水深静圧を受けた圧縮空気をエネルギーとし取りだす装置で、既存する装置で発電など行う。
【背景技術】
【０００２】
従来、複数の底面開放容器を水面から段々に深い方向に沈めてゆき静止圧の低い位置にある容器の空気を静止圧の高い位置の容器に送り込むのに、波による水中圧力の低い所と高い所の圧力を次段容器と前段容器周辺に同時に与えることで両容器内の空気圧を変え前段から次段へと一段一段と最深地に配置した容器まで空気を送り込みその水深静圧を圧縮空気として取り出した。
静止圧の低い位置にある空気を静止圧の高い位置に送り込むのに波による圧力変化を利用しており前者の受ける波圧力と後者の受ける波圧力の差が両者の静止圧力差より大きくなる必要がある、これには前者の容器位置と後者の容器位置を波の方向、波高値、波長を考慮し配置する必要がある。波の方向、波高値、波長は常に変化しており配置が難しく、効率も悪くなる。
特開２０１４−９８３８０号公報に開示された技術は、深さの位置調整、各容積体の設置間隔が波の波長を考慮して設置する必要があり、面倒であった。
【先行技術文献】
【特許文献】
【０００３】
【特許文献１】特開２０１４−９８３８０号公報
【発明の開示】
【発明が解決しようとする課題】
【０００４】
本発明は底面開放容器と次の段の底面開放容器の間に密閉容器を置いて、前段で発生した波による圧力値の最大空気圧を一旦この密閉容器に貯めておき次の段の底面開放容器周辺の波による圧力値が小さくなった時にこの容器に空気を送り込む方式にする、ある地点に発生する波圧力の最大圧力と最小圧力を時間の経過でとらえることで、波の波長、方向は全く考慮する必要はなく、前段と次段の容器の水深差のみ考慮し設置すればよいことになる。
波の一周期で全段階の容器内の空気を一段ずつ進め最終の圧力タンクに送り込む。
本装置を動作させるのに波の方向や波長には関係なく波による水中圧力の差と前段と次段の底面開放容器間の水深差のみを考慮し設置することが出来るようにした。
【課題を解決するための手段】
【０００５】
上記の課題を解決する第1の発明は
底面開放容器と、密閉容器とが、底面開放容器から密閉容器にむけて空気がながれる一方向弁を介して配置されており、密閉容器から次の段の開放容器に空気がながれるように一方向弁を介して連結されている容積ユニットを複数個有し、それら各容積ユニットを水深差をもって順次配置し一番浅いところに配置する容積ユニットを空気取り入れ孔に通じ、かつ、一番深いところに配置する容積ユニットを圧力タンクに通じるように構成した波のエネルギーを圧縮空気に変換する装置である。
また、第2の発明は、第1の発明において、前後に配置された容器の水深差、すなわち静止圧差より、波によって発生する水中圧力差が大きいとき空気は水深の深い位置にある容器に空気を送ることが出来る、波高値によって発生する水中圧力は変化するため水深調整を簡単にするため各容器を装置設置調整棒につなぎ、その両端に取り付けたロープ巻き出し機で設置調整棒を斜めに配置し各容器間の水深差を調整できるようにした波のエネルギーを圧縮空気に変換する装置である。
また、第３の発明は、第1あるいは第２の発明において、前記底面開放容器と前記密閉容器とは一体構成であり、装置全体を水中に沈めることで、異常波力による装置の破壊を守ることが出来る波のエネルギーを圧縮空気に変換する装置である。
【発明の効果】
【０００６】
従来、複数の底面開放容器を段々に深い方向に沈めてゆき浅い位置にある容器の空気を静止圧力の高い深い方向に空気を送り込むのに波により水中に発生する圧力変化を利用し一段一段と圧力の高い水深の方向へと空気を送り込み圧力の高い空気を得ることが出来る、静止圧の低い位置にある空気を静止圧の高い位置に送り込むのに波による圧力変化を利用しており前者の受ける波圧力と後者の受ける波圧力の差が両者の静止圧力差より大きくなる必要がある、これまでの方法では同一時点で前段後段の波による圧力に差のある位置を探さなければならず、これには波の方向、波高値、波長を考慮し容器を配置する必要があり難しい。また、波の方向や波長は常に変化しており、効率も悪くなる。
本考案では、前段底面開放容器の後に密閉容器置き一旦空気圧を蓄えておくことで前段と次段の底面開放容器が同時に同じ圧力変化を受けても空気は密閉容器内空気圧力と次段底面開放容器の空気圧力の差で移動するため、静止圧力の高い水深の深い位置にある容器の方に空気を送り込むことが出来る、波の一周期で一度の空気の移動が行われる、したがって全段階で空気は進み波の一周期で最終の圧力タンクまで空気を送り込むことができる。
前段と次段の容器の水深差のみ考慮すれば設置場所を選ばず設置ができる
波による圧力変化の最大点と最低点を比較して空気の移動をするため効率が良くなる、同時に水の移動による、非特定周期の水中圧力変化に対しても空気の移動を行うことになる。
【発明を実施するための最良の形態】
【０００７】
この発明の実施形態を、図１に示す。
底面開放容器と密閉容器を接続した全体を一体とし、一方向弁（１０）、空気取り入れ孔（１１）、一方向弁（１２）そして空気取り出し孔（１３）によって空気の流れる方向を制御する装置を備えたものを容積ユニットと呼び、順に容積ユニット（１）〜容積ユニット（４）とする。
底面開放容器は、底面を開放し上面から空気の吸い込みと取り出しが出来る口を設けている。空気の移動を止め、水中に沈めたとき容器内水面（９）は水深静止圧力と空気圧力の境界面であり平衡がとれている。
一方向弁（１０）と一方向弁（１２）は、圧力差によって空気を一方向のみに進める弁である。
一方向弁（１０）は前段から取り入れた空気を底面開放容器内の空気圧力と圧力を比較し空気の流れを制御する、一方向弁（１２）は底面開放容器内の空気圧力と密閉容器内の空気圧力を比較し空気の流れを制御する、空気取り出し孔（１３）は、次の段の一方向弁（１０）を通り底面開放容器の空気取り入れ口に繋がっており、前段の密閉容器内の空気がこの容器に制御され注入される。最終段の容積ユニット（４）は、圧力タンク（２２）に空気を送り込む、圧力タンク（２２）は圧力調整弁（２３）によって調整した圧力の空気を蓄積しながら目的に応じて取り出し口（２４）から圧縮空気を取り出す。
本装置を設置するには、容積ユニット（１）〜容積ユニット（４）をロープ（１５）により装置設置調整棒（１６）に適度の間隔で結び付け、その両端に、  錘（１７）に取り付けた巻き出し機（１８）からのロープを結び付け、両端の巻き出し機のロープの長さを調整し、容積ユニット（１）〜容積ユニット（４）の水深と前後の水深差を保ち段々と深くなる様設置する。
空気取り込み口（２１）を連結管（１４）により容器ユニット（１）内の一方向弁（１０）に接続する、容器ユニット（１）内の空気取り出し孔（１３）と次の段の容器ユニット（２）内の一方向弁（１０）に連結管（１４）で連結する、同様にして、容器ユニット（４）まで連結し、容器ユニット（４）の空気取り出し口（１３）から圧力タンク（２２）へ連結し、圧力調整弁（２３）を経由し圧縮空気取り出し口（２４）から適度の圧力の空気を取り出す。
以上のもので構成されている
【０００８】
密閉容器に一旦圧力を貯めておくことで波さえあればどこでも設置ができる。
波の大きさに対応して、圧力を獲得するために、ロープ巻き出し機のロープの長さを調整するだけで前段と次段の水深差を設定できる様にした。
台風など異常波力に対しては、装置を水中に沈めることで被害を受けにくく出来る。
圧縮空気を作れるので陸上へのエネルギーの輸送がし易い。
【０００９】
従来、波のエネルギーを取得するに、波の波長、周期、大きさ方向など多くの条件を考慮し設置する必要があったが本考案の装置においては、波長、方向を考慮する必要がなく、設置の場所が簡単に探せ、設置も簡単になる。
【図面の簡単な説明】
【００１０】
【図１】本発明の実施形態を示す斜視図である。
【符号の説明】
【００１１】
１〜４  底面開放容器
５〜８  密閉容器
９  容器内水面
１０  一方向弁
１１  空気取り入れ孔
１２  一方向弁
１３  空気取り出し孔
１４  連結管
１５  ロープ
１６  装置設置調整棒
１７  錘
１８  ロープ巻き出し機
１９  水底
２０  波
２１  空気取り込み口
２２  圧力タンク
２３  圧力調整弁
２４  圧縮空気取り出し口
【図１】
2017125437.tif 000003